(57)【要約】【課題】本発明は、携帯端末用アクセサリーを確実に携帯端末に取り付けることができると共に使用中にずれたり外れたりせず、しかも見栄えや携帯性が低下しない携帯端末用マウントプレートを提供する。【解決手段】携帯端末用マウントプレート１０はスマートフォンＳとスマートフォン用保護カバーＣに挟まれた状態で取り付けられる。この携帯端末用マウントプレート１０のマウント部１２はスマートフォン用保護カバーＣのスマートフォンレンズ部対応開口窓部Ｃ２に嵌入するように形成されている。マウント部１２の側面部１２Ｂには被挟持片１４が一体形成されている。マウント部１２には携帯端末用アクセサリー係合穴１６が形成されている。マウント部１２の背面部１２Ｃには携帯端末用アクセサリー係合穴１６と同心状にスマートフォンレンズ部嵌入凹部２０が形成されている。【選択図】図１
2019016976.tif 000002
【特許請求の範囲】
【請求項１】
携帯端末と、この携帯端末に着脱可能に装着される携帯端末用保護カバーと、によって挟まれた状態で取り付けられると共に携帯端末用アクセサリーを着脱可能に取り付けることができる携帯端末用マウントプレートであって、
前記携帯端末用保護カバーに切り欠き形成された携帯端末レンズ部対応開口窓部に挿入されるマウント部と、このマウント部の側面部に突設されると共に前記携帯端末と携帯端末用保護カバーとによって挟まれる被挟持片と、前記マウント部の正面部に形成されると共に携帯端末用アクセサリーが固定される携帯端末用アクセサリー係合穴と、前記マウントの背面部に前記携帯端末用アクセサリー係合穴と連通状態で形成されると共に前記携帯端末の背面部に設けられた携帯端末レンズ部が挿入する携帯端末レンズ部挿入凹部と、を有してなることを特徴とする携帯端末用マウントプレート。
【請求項２】
前記マウント部の正面部形状を前記携帯端末レンズ部対応開口窓部と相似形にしたことを特徴とする請求項１記載の携帯端末用マウントプレート。
【請求項３】
前記携帯端末レンズ部挿入凹部の内径寸法を前記携帯端末レンズ部が嵌入できる大きさに形成したことを特徴とする請求項１、請求項２のいずれか１項記載の携帯端末用マウントプレート。
【請求項４】
前記携帯端末用アクセサリー係合穴の内周面部の少なくとも一部に雌ネジ部を形成したことを特徴とする請求項１、請求項２、請求項３のいずれか１項記載の携帯端末用マウントプレート。
【請求項５】
前記マウント部に前記携帯端末用アクセサリー係合穴と別途に携帯端末マイク部用孔、携帯端末フラッシュ部用孔を設けたこと特徴とする請求項１記載、請求項２、請求項３、請求項４のいずれか１項記載の携帯端末用マウントプレート。
【請求項６】
前記携帯端末がスマートフォンで、前記携帯用端末用保護カバーがスマートフォン用保護カバーであることを特徴とする請求項１、請求項２、請求項３、請求項４、請求項５のいずれか１項記載の携帯端末用マウントプレート。
【発明の詳細な説明】
【技術分野】
【０００１】
本発明は、携帯端末用アクセサリーを携帯端末に取り付ける携帯端末用マウントプレートに関し、詳しくは携帯端末と、この携帯端末に着脱可能に装着される携帯端末用保護カバーとによって挟まれた状態で取り付けられる携帯端末用マウントプレートに関する。
【背景技術】
【０００２】
スマートフォンを誤って落下させてしまった場合にスマートフォンが大きな衝撃を受けるのを防止するため、通常、スマートフォン用保護カバーを装着してスマートフォンを使用する場合が多い（例えば引用文献１）。
ところで、前記スマートフォンにはカメラ機構が内蔵されており、スマートフォンの背面部には前記カメラ機構のスマートフォンレンズ部が少し突出して設けられている。
このため、前記スマートフォンのカメラ機構を活用して色々な種類の写真を撮影できるように携帯端末用アクセサリーの１つとしてアクセサリーレンズ具が提案されている。
このアクセサリーレンズ具には広角レンズや魚眼レンズ等のレンズが内設されており、スマートフォンを使用して付加価値のある色々な写真を撮影できるようになっている。
図１３にはスマートフォン保護用カバーＣが装着されたスマートフォンＳにアクセサリー取付具１を介してアクセサリーレンズ具２を取り付けた一従来例が示されている。
前記アクセサリー取付具１は、スマートフォンＳを挟むことができるクリップ部１Ａ，１Ａと、このクリップ部１Ａ，１Ａを開閉する摘み部１Ｂ，１Ｂを備えている。
前記クリップ部１Ａにはアクセサリーレンズ具２の雄ネジ部２Ａを挿入できる挿入孔１Ｃが形成されている。
前記アクセサリーレンズ具２をスマートフォンＳに取り付ける一手順を説明すると、アクセサリーレンズ具２の雄ネジ部２Ａをアクセサリー取付具１の挿入孔１Ｃに挿入してアクセサリーレンズ具２をアクセサリー取付具１に取り付ける。
次に、前記アクセサリー取付具１の摘み部１Ｂ，１Ｂを指で摘まんでクリップ部１Ａ，１Ａを開いてクリップ部１Ａ，１ＡでスマートフォンＳを挟みつけることによりアクセサリー取付具１をスマートフォンＳに取り付けている。
なお、この時アクセサリーレンズ具２をスマートフォン用保護カバーＣの背面部Ｃ１に切り欠き形成されたスマートフォンレンズ部対応開口窓部Ｃ２に対応させると共にアクセサリーレンズ具２のレンズ３をスマートフォンＳのスマートフォンレンズ部Ｓ２（図１３には図示せず）に対応させる。
【先行技術文献】
【特許文献】
【０００３】
【特許文献１】実用新案登録第３１８１５８８号公報第２図
【発明の概要】
【発明が解決しようとする課題】
【０００４】
しかし、このアクセサリー取付具１はクリップ部１Ａ，１ＡでスマートフォンＳを挟んでスマートフォンＳに取り付けるので、写真撮影中にスマートフォンＳを色々な角度等に動かしたり、撮影中にアクセサリー取付具１が撮影者の手等に当たったりするとアクセサリー取付具１がずれ、スマートフォンレンズ部Ｓ１とアクセサリーレンズ具２のレンズ３の対応がずれて意図した内容の写真を撮影できないという不具合がある。
また、アクセサリーレンズ具２は雄ネジ部２Ａをアクセサリー取付具１の挿入孔１Ｃに挿入してアクセサリー取付具１に取り付けられているので、写真撮影中等にアクセサリーレンズ具２がアクセサリー取付具１から外れてしまうおそれがある。
さらに、スマートフォンレンズ部Ｓ２がスマートフォンＳの背面部中央付近に設けられているタイプのスマートフォンＳの場合は、アクセサリー取付具１が大型になると共にアクセサリー取付具１が邪魔になり、アクセサリーレンズ具２を取り付けた状態のスマートフォンＳの見栄えや携帯性が低下してしまうという不具合がある。
【０００５】
本発明は、上記事実に鑑みなされたものであり、携帯端末用アクセサリーを簡単かつ確実に携帯端末に取り付けることができると共に使用中の携帯端末用アクセサリーがずれたり外れたりせず、しかも見栄えや携帯性が低下しない携帯端末マウントプレートを提供するものである。
【課題を解決するための手段】
【０００６】
請求項１の発明は、携帯端末と、この携帯端末に着脱可能に装着される携帯端末用保護カバーと、によって挟まれた状態で取り付けられると共に携帯端末用アクセサリーを着脱可能に取り付けることができる携帯端末用マウントプレートであって、
前記携帯端末用保護カバーに切り欠き形成された携帯端末レンズ部対応開口窓部に挿入されるマウント部と、このマウント部の側面部に突設されると共に前記携帯端末と携帯端末用保護カバーとによって挟まれる被挟持片と、前記マウント部の正面部に形成されると共に携帯端末用アクセサリーが固定される携帯端末用アクセサリー係合穴と、前記マウントの背面部に前記携帯端末用アクセサリー係合穴と連通状態で形成されると共に前記携帯端末の背面部に設けられた携帯端末レンズ部が挿入する携帯端末レンズ部挿入凹部と、を有してなることを特徴としている。
請求項２の発明は、前記マウント部の正面部形状を前記携帯端末レンズ部対応開口窓部と相似形にしたことを特徴としている。
請求項３の発明は、前記携帯端末レンズ部挿入凹部の内径寸法を前記携帯端末レンズ部が嵌入できる大きさに形成したことを特徴としている。
請求項４の発明は、前記携帯端末用アクセサリー係合穴の内周面部の少なくとも一部に雌ネジ部を形成したことを特徴としている。
請求項５の発明は、前記マウント部に前記携帯端末用アクセサリー係合穴と別途に携帯端末マイク部用孔、携帯端末フラッシュ部用孔を設けたこと特徴としている。
請求項６の発明は、前記携帯端末がスマートフォンで、前記携帯用端末用保護カバーがスマートフォン用保護カバーであることを特徴としている。
【発明の効果】
【０００７】
本発明は、マウント部が携帯端末用保護カバーの携帯端末レンズ部対応開口窓部に挿入され被挟持片が携帯端末と携帯端末用保護カバーに挟まれた状態で取り付けられるので、携帯端末用保護カバーを携帯端末に装着するだけの作業で別途の取付専用パーツを用いることなく簡単かつ迅速に携帯端末用マウントプレートを携帯端末に取り付けることができるという優れた効果を有する。
本発明は、マウント部が携帯端末用保護カバーの携帯端末レンズ部対応開口窓部に挿入され被挟持片が携帯端末と携帯端末用保護カバーに挟まれた状態で取り付けられるので、携帯端末用マウントプレートが大きく露出したり嵩張ったりしないので、携帯端末の見栄えや携帯性が低下しないという優れた効果を有する。
本発明は、マウント部が携帯端末用保護カバーの携帯端末レンズ部対応開口窓部に挿入されるので、携帯端末用マウントプレートを位置ずれしないで取り付けることができるという優れた効果を有する。
本発明は、携帯端末用マウントプレートの携帯端末レンズ部挿入凹部に携帯端末の携帯端末レンズ部が挿入するので携帯端末レンズ部の位置決めを簡単かつ確実に行うことができるという優れた効果を有する。
本発明は、携帯端末用マウントプレートを取り付けても携帯端末の携帯端末レンズ部は露出しているので、携帯端末用マウントプレートを取り付けた状態で写真影響を行うことができるという優れた効果を有する。
請求項５の発明は、上記優れた効果の他に携帯端末用マウントプレートに携帯端末マイク部用孔、携帯端末フラッシュ部用孔を形成したので、携帯端末のマイク機能やフラッシュ機能に影響を与えないという優れた効果を有する。
【図面の簡単な説明】
【０００８】
【図１】第１実施例の携帯端末用マウントプレートの全体斜視図である。
【図２】第１実施例の携帯端末用マウントプレートの正面図である。
【図３】第１実施例の携帯端末用マウントプレートの背面図である。
【図４】第１実施例の携帯端末用マウントプレートの横断面図である。
【図５】第１実施例の携帯端末用マウントプレートとスマートフォンとスマートフォン用保護カバーとアクセサリーレンズ具の全体斜視図である。
【図６】第１実施例の携帯端末用マウントプレートをスマートフォンに取り付けた状態でアクセサリーレンズ具を取り付けようとしている全体斜視図である。
【図７】第１実施例の携帯端末用マウントプレートをスマートフォンに取り付けた状態でアクセサリーレンズ具を固定した全体斜視図である。
【図８】第２実施例の携帯端末用マウントプレートの全体斜視図である。
【図９】第２実施例の携帯端末用マウントプレートの正面図である。
【図１０】第２実施例の携帯端末用マウントプレートの背面図である。
【図１１】第２実施例の携帯端末用マウントプレートの横断面図である。
【図１２】第２実施例の携帯端末用マウントプレートとスマートフォンとスマートフォン用保護カバーとアクセサリーレンズ具の全体斜視図である。
【図１３】従来の一例を示す斜視図である。
【発明を実施するための形態】
【０００９】
発明を実施するために最良の形態の例として以下のような実施例を示す。
【実施例１】
【００１０】
図１乃至図７には本発明に係る携帯端末用マウントプレートの第１実施例が示されている。なお、実施例では携帯端末用マウントプレートを使用して携帯端末用アクセサリーとしてのアクセサリーレンズ具を携帯端末としてのスマートフォンに取り付ける場合を例にして説明する。
【００１１】
図５に示されるように携帯端末用マウントプレート１０は、スマートフォンＳとスマートフォンＳに装着される携帯端末用保護カバーとしてのスマートフォン用保護カバーＣに挟まれて取り付けられるようになっている。
【００１２】
なお、前記スマートフォンＳと前記スマートフォン用保護カバーＣは公知のスマートフォンＳと公知のスマートフォン用保護カバーＣである。なお、この実施例ではスマートフォン用保護カバーＣは弾性変形可能なシリコーン系合成樹脂材で形成されている。
【００１３】
前記スマートフォンＳの背面部Ｓ１の左上部にはスマートフォンＳに内蔵されたカメラ機構（図示せず）の携帯端末レンズ部としてのスマートフォンレンズ部Ｓ２が少し突出した状態で設けられている。
【００１４】
また、スマートフォンＳの背面部Ｓ１の左上部にはスマートフォンレンズ部Ｓ２に並んでスマートフォンマイク部Ｓ３、スマートフォンフラッシュ部Ｓ４が並んで設けられている。
このスマートフォンレンズ部Ｓ２、スマートフォンマイク部Ｓ３、スマートフォンフラッシュ部Ｓ４は正面視円形に形成されている。なお、スマートフォンレンズ部Ｓ２の外径寸法Ｇはスマートフォンマイク部Ｓ３の外径寸法、スマートフォンフラッシュ部Ｓ４の外径寸法よりも大径に形成されている。
【００１５】
前記スマートフォン用保護カバーＣの背面部Ｃ１の左上部には携帯端末レンズ部対応開口窓部としての長円状のスマートフォンレンズ部対応開口窓部Ｃ２が切り欠き形成されている。
【００１６】
これにより、スマートフォンＳをスマートフォン用保護カバーＣに嵌合すると前記スマートフォンレンズ部Ｓ２はスマートフォンレンズ部対応開口窓部Ｃ２と対応して前記スマートフォンレンズ部Ｓ２は露出するようになっている。
【００１７】
しかも、この実施例ではスマートフォンレンズ部対応開口窓部Ｃ２は長円状に形成されて、スマートフォンレンズ部対応開口窓部Ｃ２はスマートフォンマイク部Ｓ３、スマートフォンフラッシュ部Ｓ４とも対応し、前記スマートフォンマイク部Ｓ３、スマートフォンフラッシュ部Ｓ４も露出するようになっている。
【００１８】
図１及び図２に示されるように、前記携帯端末用マウントプレート１０は合成樹脂材等の適宜材料により一体形成されている。
この携帯端末用マウントプレート１０のマウント部１２は突出して立体的に形成されている。このマウント部１２の正面部１２Ａは前記スマートフォンレンズ部対応開口窓部Ｃ２と相似形の正面視長円形状に形成されている。
【００１９】
なお、このマウント部１２の大きさは前記スマートフォン用保護カバーＣのスマートフォンレンズ部対応開口窓部Ｃ２より僅かに小さく形成されている。
このため、図６及び図７に示されるように、前記マウント部１２は前記スマートフォンレンズ部対応開口窓部Ｃ２に嵌入できるようになっている。
【００２０】
図１及び図２に示されるように、前記マウント部１２の側面部１２Ｂには被挟持片１４が突出状態で前記マウント部１２の側面部１２Ｂを囲むように一体形成されている。この被挟持片１４の肉厚Ｔ（図４参照）は０．３ｍｍと薄く形成されている。
【００２１】
図３に示されるように、前記マウント部１２の背面部１２Ｃと被挟持片１４の背面部１４Ａは面一に形成されている。
【００２２】
図１乃至図３に示されるように、前記マウント部１２の正面部１２Ａには携帯端末用アクセサリー係合穴１６が形成されている。この携帯端末用アクセサリー係合穴１６は携帯端末用マウントプレート１０をスマートフォンＳに取り付けた場合に前記スマートフォンレンズ部Ｓ２と同心状に位置するように形成されている。
【００２３】
前記携帯端末用アクセサリー係合穴１６の内周面部には雌ネジ部１８が形成されている。この雌ネジ部１８は携帯端末用マウントプレート１０に着脱可能に取り付けられるアクセサリーレンズ具２の雄ネジ部２Ａ（図５参照）と螺合できるようになっている。
【００２４】
図３に示されるように、前記マウント部１２の背面部１２Ｃには前記携帯端末用アクセサリー係合穴１６と同心状にスマートフォンレンズ部嵌入凹部２０が形成されている。このスマートフォンレンズ部嵌入凹部２０の内径寸法Ｎは前記スマートフォンレンズ部Ｓ２の外径寸法Ｇより僅かに大きく設定され、スマートフォンレンズ部Ｓ２がスマートフォンレンズ部嵌入凹部２０に嵌入できるようになっている。
【００２５】
図４に示されるように、前記スマートフォンレンズ部嵌入凹部２０と前記携帯端末用アクセサリー係合穴１６とは連通されている。
【００２６】
図１乃至図４に示されるように、前記マウント部１２の正面部１２Ａには携帯端末用アクセサリー係合穴１６の横に携帯端末マイク部用孔としてのスマートフォンマイク部用孔２２、携帯端末フラッシュ部用孔としてのスマートフォンフラッシュ部用孔２４が並んだ状態で貫通形成されている。
【００２７】
これらスマートフォンマイク部用孔２２、スマートフォンフラッシュ部用孔２４は携帯端末用マウントプレート１０をスマートフォンＳに取り付けた場合に前記スマートフォンＳのスマートフォンマイク部Ｓ３、スマートフォンフラッシュ部Ｓ４と同心状に対応して位置するように形成されている。
【００２８】
従って、図７に示されるように、前記携帯端末用マウントプレート１０をスマートフォンＳに取り付けても、スマートフォンＳのスマートフォンマイク部Ｓ３、スマートフォンフラッシュ部Ｓ４の機能に弊害が出ないようになっている。
【００２９】
次に、携帯用端末マウントプレート１０をスマートフォン保護用カバーＣが装着されるスマートフォンＳに取り付ける一手順を説明すると共に携帯端末用マウントプレート１０の作用をする。
【００３０】
携帯用端末マウントプレート１０をスマートフォンＳに取り付ける場合は、携帯端末用マウントプレート１０のマウント部１２を前記スマートフォン用保護カバーＣのスマートフォンレンズ部対応開口窓部Ｃ２に嵌入させる。
【００３１】
次に、携帯用マウントプレート１０のスマートフォンレンズ部嵌入凹部２０とスマートフォンＳのスマートフォンレンズ部Ｓ２を対応させ、その状態でスマートフォン用保護カバーＣをスマートフォンＳに嵌合させる。
これにより、携帯端末用マウントプレート１０の被挟持片１４はスマートフォンＳの背面部Ｓ１とスマートフォン用保護カバーＣの背面部Ｃ１とによって挟まれた状態になってスマートフォンＳに取り付けられる。
【００３２】
また、スマートフォンＳのスマートフォンレンズ部Ｓ２は携帯用マウントプレート１０のスマートフォンレンズ部嵌入凹部２０に嵌入するため、スマートフォンＳとスマートフォン用保護カバーＣとの位置決めも簡単に行うことができる。
【００３３】
なお、携帯端末用マウントプレート１０の被挟持片１４は、スマートフォンＳの背面部Ｓ１とスマートフォン用保護カバーＣの背面部Ｃ１によって挟まれるが、前記被挟持片１４は薄く形成されているのでスマートフォンＳに装着されたスマートフォン用保護カバーＣがスマートフォンＳから外れ易くなるようなことはない。
【００３４】
従って、携帯端末用マウントプレート１０は、スマートフォン用保護カバーＣをスマートフォンＳに嵌合して取り付けるだけの作業で極めて簡単にスマートフォンＳに確実に取り付けることができる。
しかも、携帯端末用マウントプレート１０を取り付けるために別途に他の取付用専用パーツを用いることがないので経済的でもある。
【００３５】
なお、携帯端末用マウントプレート１０は、コンパクトな形状でしかもスマートフォンＳとスマートフォン用保護カバーＣに挟まれた状態でスマートフォンＳに取り付けられるので、携帯端末用マウントプレート１０が大きく露出したり嵩張ったりすることはなく、スマートフォンＳの見栄えが低下したり、スマートフォンＳの携帯性が低下したりするようなことはない。
【００３６】
スマートフォンＳに取り付けられた携帯端末用マウントプレート１０にアクセサリーレンズ具２を取り付ける場合は、アクセサリーレンズ具２の雄ネジ部２Ａをマウント部１２の携帯端末用アクセサリー係合穴１６の雌ネジ部１８に螺合すればアクセサリーレンズ具３を携帯端末用マウントプレート１０に確実に固定できる。
従って、スマートフォンＳの携帯時や写真撮影中にアクセサリーレンズ具３がずれたり携帯端末用マウントプレート１０から不用意に外れてしまうことはない。
【００３７】
また、前記スマートフォンレンズ部Ｓ２は前記スマートフォンレンズ部嵌入凹部２０に嵌入するのでアクセサリーレンズ具２のレンズ３とスマートフォンレンズ部Ｓ２とがずれてしまうことはない。
【００３８】
なお、前記携帯端末用マウントプレート１０は、スマートフォンＳとスマートフォン用保護カバーＣに挟まれて取り付けられるので、スマートフォンレンズ部Ｓ２がスマートフォンＳの背面部中央付近に設けられているタイプのスマートフォンＳでも簡単かつ迅速に携帯端末用マウントプレート１０を取り付けることができる。
【００３９】
なお、前記携帯端末用マウントプレート１０は、コンパクトな形状であるので常時スマートフォンＳに取り付けていてもスマートフォンＳの見栄えが低下したり携帯の邪魔になることはなく、しかもスマートフォンＳのスマートフォンレンズ部Ｓ２のみで写真撮影したい場合はスマートフォンレンズ部Ｓ２は携帯端末用アクセサリー係合穴１６を介して露出しているので携帯端末用マウントプレート１０を取り外さなくても画像に影響を与えることなく写真撮影を行うことができ便利である。
【００４０】
なお、実施例の携帯端末用マウントプレート１０を使用すれば常にアクセサリーレンズ具２を前記スマートフォンレンズ部Ｓ２に対応して取り付けることができるので撮影者の意図に沿った写真撮影がより可能になり、より高品質なレンズ３を収容したアクセサリーレンズ具２の要望が高まり高品質なレンズ３の需要増大を図ることができるという副次的効果を奏する。
【００４１】
図８〜図１２には本発明に係る携帯端末用マウントプレートの第２実施例が示されている。なお、第１実施例の携帯端末用マウントプレート１０と同一の構成は同一の符号を用いてその説明を省略する。
【００４２】
図１２に示されるように、第２実施例の携帯端末用マウントプレート３０は、スマートフォンＳの背面部Ｓ１の左上部にスマートフォンレンズ部Ｓ２とスマートフォン望遠レンズ部Ｓ５を連設した正面視長円形状の携帯端末レンズ部としてのスマートフォン複数レンズ部Ｓ６が設けられたタイプのスマートフォンＳに使用されるものである。
【００４３】
なお、このタイプのスマートフォンＳに装着されるスマートフォン用保護カバーＣの背面部Ｃ１の左上部には前記スマートフォンレンズ部対応開口窓部Ｃ２よりも横長のスマートフォンレンズ部対応開口窓部Ｃ３が切り欠き形成されている。
【００４４】
図８〜図１０に示されるように、携帯端末用マウントプレート３０のマウント部３２は前記スマートフォンレンズ部対応開口窓部Ｃ３に嵌入できるように第１実施例の携帯端末用マウントプレート１０のマウント部１２よりも横長に形成されている。
このマウント部３２の正面部３２Ａは前記スマートフォンレンズ部対応開口窓部Ｃ３と相似形の正面視長円形状に形成されている。
【００４５】
前記マウント部３２の側面部３２Ｂには被挟持片３４が突出状態で前記マウント部３２の側面部３２Ｂを囲むように一体形成されている。
【００４６】
図１０に示されるように、前記マウント部３２の背面部３２Ｃと被挟持片３４の背面部３４Ａは面一に形成されている。
【００４７】
図８及び図９に示されるように、前記マウント部３２の正面部３２Ａには携帯端末用アクセサリー係合穴３６が形成されている。この携帯端末用アクセサリー係合穴３６はスマートフォンレンズ部Ｓ２に対応するレンズ対応部３６Ａとスマートフォン望遠レンズ部Ｓ５に対応する望遠レンズ対応部３６Ｂが連通部３６Ｃを介して連続形成されている。
【００４８】
このレンズ対応部３６Ａの内周面部には雌ネジ部１８が形成されている。この雌ネジ部１８は携帯端末用マウントプレート３０に着脱可能に取り付けられるアクセサリーレンズ具２の雄ネジ部２Ａ（図１２参照）と螺合できるようになっている。
【００４９】
図１０に示されるように、前記マウント部３２の背面部３２Ｃには前記携帯端末用アクセサリー係合穴３６と同心状に長円形状のスマートフォンレンズ部嵌入凹部３８が形成されている。
このスマートフォンレンズ部嵌入凹部３８は前記スマートフォン複数レンズ部Ｓ６の寸法より僅かに大きく設定され、スマートフォン複数レンズ部Ｓ６がスマートフォンレンズ部嵌入凹部３８に嵌入できるようになっている。
【００５０】
図１１に示されるように、前記スマートフォンレンズ部嵌入凹部３８と前記アクセサリー係合穴３６とは連通されている。
【００５１】
従って、この携帯端末用マウントプレート３０は、スマートフォンＳの背面部Ｓ１にスマートフォン複数レンズ部Ｓ６が設けられているタイプのスマートフォンＳに取り付けることができる。
【００５２】
なお、実施例では前記レンズ対応部３６Ａの内周面部にだけ雌ネジ部１８を形成した場合を示したが、望遠レンズ対応部３６Ｂの内周面部にもアクセサリーレンズ具２の雄ネジ部２Ａが螺合できる雌ネジ部１８を形成してもよい。
【００５３】
なお、他の構成及び作用は、第１実施例の携帯端末用マウントプレート１０と同一であるのでその説明は省略する。
【００５４】
なお、第１実施例において携帯端末用マウントプレート１０をスマートフォンＳに取り付ける手順を示したが、実施例で示した取り付け手順は一取り付け手順であり、他の取り付け手順で前記携帯端末用マウントプレート１０をスマートフォンＳに取り付けてもよいことは勿論である。
【００５５】
また、実施例ではアクセサリーレンズ具２を確実に取り付ける手段として雌ネジ部１８を示したが、アクセサリーレンズ具２を確実に取り付けられるものであれば雌ネジ部１８に限定されるものでなく、他の手段でもよいことは勿論である。
【００５６】
また、実施例では携帯端末用アクセサリーとしてアクセサリーレンズ具２を示したが、携帯端末用アクセサリーはアクセサリーレンズ具２に限定されるものでないことは勿論である。
【産業上の利用可能性】
【００５７】
本発明の携帯端末用マウントプレートは、携帯端末としてのスマートフォンだけでなく他の携帯端末に取り付けて使用することができる。
【符号の説明】
【００５８】
１０    携帯端末用マウントプレート
１２    マウント部
１２Ａ  正面部
１２Ｂ  側面部
１２Ｃ  背面部
１４    被挟持片
１４Ａ  背面部
１６    携帯端末用アクセサリー係合穴
１８    雌ネジ部
２０    スマートフォンレンズ部嵌入凹部
２２    スマートフォンマイク部用孔
２４    スマートフォンフラッシュ部用孔
３０    携帯端末用マウントプレート
３２    マウント部
３２Ａ  正面部
３２Ｂ  側面部
３２Ｃ  背面部
３４    被挟持片
３４Ａ  背面部
３６    携帯端末用アクセサリー係合穴
３６Ａ  レンズ対応部
３６Ｂ  望遠レンズ対応部
３６Ｃ  連通部
３８    スマートフォンレンズ部嵌入凹部
【図１】
2019016976.tif 000003
【図２】
2019016976.tif 000004
【図３】
2019016976.tif 000005
【図４】
2019016976.tif 000006
【図５】
2019016976.tif 000007
【図６】
2019016976.tif 000008
【図７】
2019016976.tif 000009
【図８】
2019016976.tif 000010
【図９】
2019016976.tif 000011
【図１０】
2019016976.tif 000012
【図１１】
2019016976.tif 000013
【図１２】
2019016976.tif 000014
【図１３】
2019016976.tif 000015